(57)【要約】      （修正有）【課題】各種の硬貨を分類・整理した状態で携帯できると共に、円滑且つ迅速に硬貨の出入れできるようにした小型、安価で取り扱いの容易な携帯用硬貨収納具を提供する。【解決手段】上面の右側部分及び右側面を開口とした薄い四角型の硬貨収納本体１と、当該硬貨収納本体１の底板１ａに折曲げ自在に連設され、四角型の硬貨収納本体１の上面の左側部分及び右側面の開口を閉鎖する開閉蓋体２とからなる携帯用硬貨収納具Ａにおいて、前記硬貨収納本体１の底板１ａ上に所定の間隔をもって並列状に複数の隔壁体４を突設すると共に、各隔壁体４の両側面にモヘアシール５を固設し、前記対向する各隔壁体４間の区画を硬貨収納部とする。【選択図】図１
0003205000.tif 000002
【実用新案登録請求の範囲】
【請求項１】
上面の右側部分及び右側面を開口とした薄い四角型の硬貨収納本体（１）と、当該硬貨収納本体（１）の底板（１a）に折曲げ自在に連設され、四角型の硬貨収納本体（１）の上面の左側部分及び右側面の開口を閉鎖する開閉蓋体（２）とからなる携帯用硬貨収納具（Ａ）において、前記硬貨収納本体（１）の底板（１a）上に所定の間隔（Ｌｗ）をもって並列状に複数の隔壁体（４）を突設すると共に、各隔壁体（４）の両側面にモヘアシール（５）を固設し、前記対向する各隔壁体（４）間の区画を硬貨収納部（Ｄ）とする構成とした携帯用硬貨収納具。
【請求項２】
前記並列状に突設した各隔壁体（４）の間隔（Ｌａ）を２８〜３５ｍｍとした請求項1に記載の携帯用硬貨収納具。
【請求項３】
前記各隔壁体（４）側面に対向状に固設したモヘアシール（５）の先端間の間隔（Ｌｓ）を８〜１５ｍｍとした請求項1に記載の携帯用硬貨収納具。
【請求項４】
前記モヘアシール（５）の縦幅方向の長さ（Ｌｗ）を５０〜７０ｍｍとした請求項1に記載の携帯用硬貨収納具。
【請求項５】
上面の右側部分及び右側面を開口とした薄い四角型の硬貨収納本体（１）と、当該硬貨収納本体（１）の底板（１a）の右側端部に左側壁（７ｄ）の上端部が折曲げ自在に連設され、上面の右側部分及び右側面を開口とした薄い四角型のカード収納箱本体（７）と、当該カード収納箱本体（７）の底面（７ａ）の右側端部に折曲げ自在に連設され、折り重ねした上方の硬貨収納本体（１）と下方のカード収納箱本体（７）との右側面の開口及び上方の硬貨収納本体（１）の上面の右側部分の開口を閉鎖する開閉蓋体（２）とからなる携帯用硬貨収納具（Ａ）において、前記硬貨収納本体（１）の底板（１a）上に所定の間隔（Ｌｗ）をもって並列状に複数の隔壁体（４）を突設すると共に、各隔壁体（４）の両側面にモヘアシール（５）を固設し、前記対向する各隔壁体（４）間の区画を硬貨収納部（Ｄ）とすると共に、前記カード収納箱本体（７）の上面の開口の右側部分を固定蓋体（８）により閉鎖して、カード収納部（Ｇ）とする構成とした携帯用硬貨収納具。
【請求項６】
前記並列状に突設した各隔壁体（４）の間隔（Ｌａ）を３０〜３５ｍｍとした請求項５に記載の携帯用硬貨収納具。
【請求項７】
前記各隔壁体（４）側面に対向状に固設したモヘアシール（５）の先端間の間隔（Ｌｓ）を８〜１５ｍｍとした請求項５に記載の携帯用硬貨収納具。
【請求項８】
前記モヘアシール（５）の縦幅方向の長さ（Ｌｗ）を５０〜７０ｍｍとした請求項５に記載の携帯用硬貨収納具。
【考案の詳細な説明】
【技術分野】
【０００１】
本考案は携帯用の硬貨等の収納具に関するものであり、複数枚の１円から５００円までの各種硬貨をその金種毎に分類して積層状に収納することにより、硬貨（小銭）の携帯及び出入れや硬貨による支払を迅速・円滑に行えるようにすると共に、カード類の収納をも可能とした携帯用硬貨収納具に関するものである。
【背景技術】
【０００２】
近年、消費税の導入に伴って、物品の購入時に硬貨（小銭）を用いる機会が増えて来ている。そのため、一般に多くの人びとは、布製又は皮製の所謂硬貨入れ（小銭入れ）を携帯し、その中に各種の硬貨（小銭）を収納するようにしている（特開2010-201004等）。
しかし、従前のこの種の硬貨入れでは、各種の硬貨が混ざった状態で収納されているため、必要額の小銭の取出しに手数が掛かることになり、小銭による支払いを迅速且つ円滑に行い難という難点がある。
【０００３】
また、近年、多くの人びとは、財布（札入れ）や硬貨入れの他にカード入れや名刺入れを携帯するようになって来ているが、従前の袋型の硬貨入れでは、硬貨とカードや名刺とを一緒に収納することが出来ない。そのため、財布（札入れ）に収納し切れないカードや名刺類がある時には、これ等を別のカード入れ等に収納するようにしている。
しかし、この場合には、必然的に小銭入れとカード入れの両方を必要とすることになり、携帯用具の数が増加すると言う問題がある。
【０００４】
更に、硬貨の種類（金種）の応じて硬貨の区分け収納を可能とした携帯用小銭入れ（特開2005-169037号、実開平6-036414号等）や、金種別に出し入れできるようにした箱型の小銭入れ（実開平05-093237号等）が開発され、公開されている。
しかし、前者には、構造が複雑で組み立てに手数が掛かり、小型化や製造コストの引下げが図れないうえ、携帯に適さないという問題がある。また、後者には、金種別に積み重ね収納した硬貨が小銭入れ内で上下左右に自由移動するため、携帯中にがたつき音が出たり、金種別に夫々独立した硬貨収納区画を必要とするため、小銭入れが大型になると言う問題がある。
【先行技術文献】
【特許文献】
【０００５】
【特許文献１】特開2010-201004号
【特許文献２】特開2005-169037号
【特許文献３】実開平06-036414号
【特許文献４】実開平05-093237号
【考案の概要】
【考案が解決しようとする課題】
【０００６】
本考案は、従前の携帯用硬貨収納具に於ける上述の如き問題、即ち、イ  各種の硬貨が混ざった状態で収納されているため、必要額の小銭の取出しに手数が掛かり、小銭による支払いを迅速且つ円滑に行い難いこと、ロ  小型化や製造コストの引下げが図れないうえ、携帯中にがたつき音が出ること、ハ  実開平05-093237号等では、金種毎に夫々独立した硬貨収納区画を必要とするため、小銭入れの小型化が図れないこと、及び、ニ  小銭入れとカード入れとをコンパクトに組合わせしたものが無いこと、等の問題を解決しようとするものであり、硬貨収納部に設けた複数の収納区画内に、異なる金種の任意の枚数の硬貨を積重ね収納することができると共に、携帯中でも収納した硬貨のがたつき音が出ず、小型で安価に製造することができ、しかも、カード類の収納をも可能にした携帯用硬貨収納具を提供することを、考案の主目的とするものである。
【課題を解決するための手段】
【０００７】
請求項１の考案は、上面の右側部分及び右側面を開口とした薄い四角型の硬貨収納本体１と、当該硬貨収納本体１の底板１aに折曲げ自在に連設され、四角型の硬貨収納本体１の上面の左側部分及び右側面の開口を閉鎖する開閉蓋体２とからなる携帯用硬貨収納具Ａにおいて、前記硬貨収納本体１の底板１a上に所定の間隔Ｌｗをもって並列状に複数の隔壁体４を突設すると共に、各隔壁体４の両側面にモヘアシール５を固設し、前記対向する各隔壁体４間の区画を硬貨収納部Ｄとしたことを考案の基本構成とするものである。
【０００８】
請求項２の考案は、請求項1の考案に於て、前記並列状に突設した各隔壁体４の間隔Ｌａを３０〜３５ｍｍとしたものである。
【０００９】
請求項３の考案は、請求項1の考案に於て、前記各隔壁体４の側面に対向状に固設したモヘアシールの先端間の間Ｌを８〜１５ｍｍとしたものである。
【００１０】
請求項４の考案は、請求項1の考案に於て、前記モヘアシール５の縦幅方向の長さＬｗを５０〜７０ｍｍとしたものである。
【００１１】
請求項５の考案は、上面の右側部分及び右側面を開口とした薄い四角型の硬貨収納本体１と、当該硬貨収納本体１の底板１aの右側端部に左側壁７ｄの上端部が折曲げ自在に連設され、上面の右側部分及び右側面を開口とした薄い四角型のカード収納箱本体７と、当該カード収納箱本体７の底面７ａの右側端部に折曲げ自在に連設され、折り重ねした上方の硬貨収納本体１と下方のカード収納箱本体７との右側面の開口及び上方の硬貨収納本体１の上面の右側部分の開口を閉鎖する開閉蓋体２とからなる携帯用硬貨収納具Ａにおいて、前記硬貨収納本体１の底板１a上に所定の間隔Ｌｗをもって並列状に複数の隔壁体４を突設すると共に、各隔壁体４の両側面にモヘアシール５を固設し、前記対向する各隔壁体４間の区画を硬貨収納部Ｄとすると共に、前記カード収納箱本体７の上面の開口の右側部分を固定蓋体８により閉鎖して、カード収納部Ｇとすることを考案の基本構成とするものである。。
【００１２】
請求項６の考案は、請求項５の考案に於て、前記並列状に突設した各隔壁体４の間隔Ｌａを３０〜３５ｍｍとしたものである。
【００１３】
請求項７の考案は、請求項５の考案に於て、前記各隔壁体４の側面に対向状に固設したモヘアシール５の先端間の間隔Ｌｓを８〜１５ｍｍとしたものである。
【００１４】
請求項８の考案は、請求項５の考案に於て、前記モヘアシール５の縦幅方向の長さＬｗを５０〜７０ｍｍとしたものである。
【考案の効果】
【００１５】
本考案では、上面の右側部分及び右側面を開口とした薄い四角型の硬貨収納本体１と、当該硬貨収納本体１の底板１aに折曲げ自在に連設され、四角型の硬貨収納本体１の上面の左側部分及び右側面の開口を閉鎖する開閉蓋体２とからなる携帯用硬貨収納具Ａにおいて、前記硬貨収納本体１の底板１a上に所定の間隔Ｌｗをもって並列状に複数の隔壁体４を突設すると共に、各隔壁体４の両側面にモヘアシール５を固設し、前記対向する各隔壁体４間の区画を硬貨収納部Ｄとしている。
【００１６】
その結果、硬貨収納本体１の右側開口より、各隔壁体４の間に形成した硬貨収納部Ｄ内へ挿入した硬貨は、モヘアシール５の弾性力によりその両端部の表裏両面が強固に保持されることになり、携帯中に所謂硬貨のがたつきを生じることが無い。
【００１７】
また、複数枚の硬貨を積層状にして収納した場合に於ては、モヘアシール５の弾性力により、積層した硬貨の両側面がモヘアシール５により強固に挟持されることになり、収納硬貨収納本体１の厚み寸法Ｈに対応する枚数の硬貨を積層状にして収納することが可能となる。
【００１８】
更に、カード収納箱本体７を設けた場合には、各金種の硬貨とカード類とをコンパクトに収納することができ、実用性が著しく向上する。
【図面の簡単な説明】
【００１９】
【図１】本考案の第１実施例に係る携帯用硬貨収納具の蓋板を開放した状態の斜面図である。
【図２】本考案の第１実施例に係る携帯用硬貨収納具の平面図である。
【図３】本考案の第１実施例に係る携帯用硬貨収納具の右側面図である。
【図４】本考案の第１実施例に係る携帯用硬貨収納具の正面図である。
【図５】図２のイ−イ視断面である。
【図６】本考案の第２実施例に係る携帯用硬貨収納具の正面図である。
【図７】本考案の第２実施例に係る携帯用硬貨収納具のカード収納部を展開した状態を示す斜面図である。
【考案を実施するための形態】
【００２０】
以下、図面に基づいて本考案の実施形態を説明する。
図１は、本考案の第１実施例に係る携帯用硬貨収納具Ａの斜面図であり、図２はその平面図、図３は右側面図、図４は正面図、図５は図２のイ−イ視断面図である。
また、本明細書に於ては、第１実施例に係る携帯用硬貨収納具Ａの平面図（図２）を基にして、その下方を正面、上方を背面、右方を右側面、左方を左側面と夫々呼称する。
【００２１】
図1を参照して、本考案に係る携帯用硬貨収納具Ａは、上面の左側部分及び右側面が開放された収納箱本体１と、収納箱本体１の上面の右側部分及び右側面を開閉する開閉蓋体２とを備えており、開閉蓋体２は，収納箱本体１の底面の右側端部Ｂに折り曲げ自在に連設されている。
また、図1に於て、３は収納箱本体１の上面の左側部分を閉鎖する固定蓋体であり、４は収納箱本体１の内部空間を複数の縦方向の区画に仕切る隔壁体、５は各隔壁体４の側面より垂直方向（横幅方向）に突設した硬貨保持用のモヘアシール、６は開閉蓋体２を収納箱本体１へ固定する止め金具、Ｃは積層状に収納された硬貨である。
【００２２】
図１〜図５に示すように、上記収納箱本体１は、成樹脂材等により１８０ｍｍ〜２２０ｍｍの横幅寸法Ｌ、５０ｍｍ〜７０ｍｍの縦寸法Ｗ、１０ｍｍ〜２５ｍｍの厚み寸法Ｈの四角形の薄箱型に形成されており、上面も左側部及び右側面が開放されている。より具体的には、収納箱本体１は、底板１a、正面側壁１b、背面側壁１c及び左側壁１dから形成させており、本実施例では、その主要部が合成樹脂材により形成されているが、収納箱本体１の構成材は如何なるものであってもよく、例えば繊維材や人造皮革、天然皮革材、或いは合成樹脂材と天然皮革材との張合せ材等であっても良いことは勿論である。
【００２３】
前記収納箱本体１の上面開放部の右側部分及び右側面の開放部を開閉する開閉蓋体２は、収納箱本体１の底板１aの右側端に連接してこれと一体的にその側壁部２aが形成されている。
【００２４】
具体的には、開閉蓋体２は、図１に示すように、収納箱本体１の右側開口部分を閉鎖する側壁部２aと、側壁部２aの上端より内側（左側）へ略９０度の角度で折曲げした上蓋部２bとから形成されている。また、収納箱本体１の底板１ａ及び開閉蓋体２の側壁部２aを湾曲可能な柔軟性合成樹脂材を用いて構成し、底板１aと側壁部２aとの連設部を折り曲げ自在な連設部Ｂとしている。
【００２５】
前記固定蓋体３は、収納箱本体１の上面の左側部分を閉鎖するものであり、図1に示すように複数の凹状の切込み部３aが設けられており、収納箱本体1に固着されている。
尚、図１〜図５においては、収納箱本体１や開閉蓋体２、固定蓋体３等の各構成材を非透明性の材料としているが、開閉蓋体２や固定蓋体３等の構成材を透明性の材料として、収納した硬貨の金種等を外部から判明し易いようにしても良い。
【００２６】
前記隔壁体４は、図１、図２及び図５に示すように、長方形状の薄板から形成されており、所定の横幅間隔Ｌaを以って平行状に配設され、収納箱本体１の底板１a上に固定されている。
尚、図１、図２及び図５に於ては、４枚の隔壁体４を用いて収納箱本体１内に縦幅寸法Ｗの方向に３個の硬貨収納部Ｄを設けるようにしているが、硬貨収納部Ｄの数は３〜５が望ましい。また、図１、図２及び図５に於ては、正面側壁１bと背面側側壁１cの内側面にも隔壁体４を配置するようにしているが、正面側壁１bと背面側側壁１cの厚みを大きくして、これを隔壁体４の代替として使用するようにしてもよく、この場合には、新たに設ける隔壁体４は２枚となる。
【００２７】
前記、複数の隔壁体４の内面間の間隔Ｌaは、５００円硬貨の直径よりもやや大きめに設定されており、本実施例では２８〜３５ｍｍに選定されている。尚、前記間隔Ｌaを一定としないで、各金種に応じた硬貨の直径よりやや大きい間隔に選定し、各硬貨収納部Ｄを硬貨の種類に応じた専用の硬貨収納部Ｄとするようにしても良い。
【００２８】
また、前記、複数の隔壁体４の奥行き長さＬwは、５００円硬貨の直径の約２倍より稍大きい目に選定するのが望ましい。本実施例では、各硬貨を奥行き長さＷの方向に２列状に収納するため、長さＬwは、５０〜７０ｍｍ程度に選定しているが、硬貨を奥行き長さ方向に３列状以上収納する場合には、前記長さＬwは約８０〜１００ｍｍ以上とする必要がある。
【００２９】
前記モヘアシール５は、隔壁体４の外表面から垂直状に突設した所定長さＬｍの複数のシール用毛状体５ａ（ポリプロピレン製の直径０，０５〜０．２ｍｍの毛状体）から構成されており、本実施例では、ポリプロピレン製の基板テープに複数の長さＬｍ（８〜１２ｍｍ）の毛状体を密植した隙間テープ（株式会社槌屋製の隙間テープ）を用い、その基板テープを隔壁体４の外表面へ接着固固定することにより、突出長さＬｍのモヘアシール５を形成している。
【００３０】
尚、前記モヘアシール５のシール用毛状体５aは、隔壁体４の外表面の全域に亘って設けられており、毛状体５aからなる直方体状の所謂シール体を形成している。
また、シール用毛状体５a自体は、優れた相当に弾力性を具備しており、したがって、前記直方体状のモヘアシール５自体も優れた弾力性を備えている。そのため、モヘアシール５を形成するシール用毛状体５aの間隙内へ差し込まれた硬貨の表裏両面は、これに接当するシール用毛状体５aによってしっかりと挟持されることになり、所謂がたつきが生じない。
【００３１】
また、相互に対向するモヘアシール５の先端面間の距離Ｌｓは、８〜１５ｍｍぐらいが最適であり、具体的には１円硬貨を対向する両モヘアシール５間に保持することが可能な間隔（約１０〜１５ｍｍ）に選定されている。
【００３２】
尚、金種毎に、夫々異なる硬貨収納部Ｄを設ける構成とした場合には、前記モヘアシール５の先端面間の距離Ｌｓは、収納する硬貨の直径に応して適宜に選定されることは勿論である。
【００３３】
前記止め金具６は、第１図及び第５図に示すように、開閉蓋体２に固定した本体６aと、その裏面側に内方へ向けて突設した２個の挟片６bとから形成されており、２個の挟片６bの間へ隔壁体４の上端部を挿入することにより、これを挟着固定する用にしている。
【００３４】
本考案に係る携帯用硬貨収納具Ａに各種硬貨を収容する場合には、先ず、開閉蓋体２を開放し、右側面の開口部より金種別に各硬貨収納部Ｄへ硬貨を挿入する。  なお、本実施例では、各硬貨の積層数は５枚に選定されており、且つ縦幅Ｗの方向に２列収納することができる。その結果、一つの各硬貨収納部Ｄには１金種につき合計１０枚の硬貨が収納可能である。
そして、各硬貨収納部Ｄに、必要な金種及び枚数の硬貨が収納されたら、開閉蓋体２を閉鎖方向へ回動させ、止め金具６を収容箱本体１側へ固定することにより、右側開口部を閉鎖する。
各硬貨収納部Ｄ内の硬貨は、モヘアシール５のシール用毛状体５a間に強固に保持され、携帯用硬貨収納具Ａを持ち運びしても、硬貨にがたつきを生じることが無い。
また、開閉蓋体２を開放方向へ回動させることにより、収容箱本体１の右側上面が開放される。その後、右側上面の開放部より指で必要枚数の硬貨を右開口側へ押し出すことにより、容易に必要な金種の硬貨を取り出すことができる。
【００３５】
図６及び図７は、本考案の第２実施例を示すものであり、図６は、携帯用硬貨収納具Ａの正面図、図７は、そのカード収納部を展開した状態を示す斜面図である。
【００３６】
図６及び図７を参照して、当該第２次実施例に係る携帯用硬貨収納具Ａは、第１実施例に示した格納箱本体１の底板１aの下方に、厚みの薄いのカード収容箱本体７を折り曲げ自在な連設部Ｆを軸線として回動可能に積重ねしたものである。
尚、図６に於て、１は格納箱本体１，１aは格納箱本体１の底板、1bは正面側壁、1dは左側壁、２は格納箱本体１及びカード収容箱本体７の右側開口の開閉蓋体、６は止め金具、７はカード収納箱本体、7aはカード収納箱本体７の底板、7bは正面側壁、7d左側壁、Ｅは開閉蓋体２の折り曲げ自在な連設部、Ｆは、格納箱本体１の底板１aとカード収容箱本体７の右側壁７ｄの上端部との折り曲げ自在な連設部である。
【００３７】
図７は、前記カード収納箱本体７を折り曲げ部Ｆを軸線として回動させ、これを展開させた状態を示す斜面図であり、カード収納箱本体７は，底板７aと、正面側７b、背面側壁７ｃ、左側壁7dとから、上面及び右側面が開放された薄い四角状の箱体に形成されており、上面開放部の左半分の部分はカバー体８によって塞がれており、カバー体８と底板７aの間隙部がカード類の収納部となっている。
尚、Ｋは、上記カード類の収納部へ収納したカードであり、通常３〜７枚ぐらいのカードを収納することができる。
【００３８】
硬貨や必要なカードＫの収納が終われば、図７に示した収納箱本体１を折り曲げ部Ｆを軸線として１８０度回転させ、図６に示すように収納箱本体１とカード収納箱本体７とを積み重ね、その後、開閉蓋体２を折り曲げ部Ｅを軸線として回動させ、収納箱本体７及び収納箱本体１の各右側開放部を閉鎖すると共に、止め金具６により開閉蓋体２を収納箱本体１の上面側へ固定して収納箱本体１の右側上面の開放部を閉鎖する。
【００３９】
上記第２実施例に係る携帯用硬貨収納具Ａでは、各種硬貨のみならず所要枚数のカード類を一緒に格納保持することができ、小銭やカード類の携帯及びその使用が極めて容易となる。
【００４０】
本考案は上述の如く、硬貨やカード類の形態やその使用、収納等の点で優れた実用的効用を奏するものである。
【産業上の利用可能性】
【００４１】
本考案は、硬貨類のみならず、ゲーム用コイン等の携帯、整理等にも利用可能なものである。
【符号の説明】
【００４２】
Ａ    携帯用硬貨収納具
Ｂ・Ｅ・Ｆ    折り曲げ自在な連設部
Ｃ    硬貨
Ｄ    硬貨収納部
Ｇ    カード収納部
Ｋ    カード
Ｌ    収納具の横幅寸法
Ｗ    収納具の縦幅寸法
Ｈ    収納具の厚み寸法
１    硬貨収納箱本体
1a    底板
1b    正面側壁
1c    背面側壁
1d    左側壁
２    開閉蓋体
２a    側壁部
２b    上蓋部
３    固定蓋体
３a    切込み部
４    隔壁体
Ｌａ    横幅間隔
Ｌｂ    奥行長さ
５    モヘアシール
５a    シール用毛状体
Ｌm    毛状体の突出長さ
Ｌs    毛状体の先端間距離
６    止め金具
６a    本体
６b    挟片
７    カード収納箱本体
７a    底板
７b    正面側壁
７c    背面側壁
７d    左側壁
８    カード格納箱本体の固定蓋体
【図１】
0003205000.tif 000003
【図２】
0003205000.tif 000004
【図３】
0003205000.tif 000005
【図４】
0003205000.tif 000006
【図５】
0003205000.tif 000007
【図６】
0003205000.tif 000008
【図７】
0003205000.tif 000009